(57)【要約】【課題】防水構造を備え、各種用途に使用することができる利便性に優れた回転式清浄具用回転装置を提供する。【解決手段】ケース（上ケース１１，下ケース１２）と、ケース（下ケース１２）に収容された電源部（電池１３）及び駆動部（モータ１５）と、回転式清浄具（耳かき棒３０）が差し込まれて取り付けられるホルダ２２とを備える。ホルダ２２はケース（上ケース１１）の一端に形成された開口１１ａに位置して駆動部により回転駆動されるものとされ、ホルダ２２とケース（上ケース１１）との間にはパッキン２４が設けられている。【選択図】図１
2014161345.tif 000002
【特許請求の範囲】
【請求項１】
ケースと、
前記ケースに収容された電源部及び駆動部と、
回転式清浄具が差し込まれて取り付けられるホルダとを備え、
前記ホルダは前記ケースの一端に形成された開口に位置して前記駆動部により回転駆動されるものとされ、
前記ホルダと前記ケースとの間にパッキンが設けられていることを特徴とする回転式清浄具用回転装置。
【請求項２】
請求項１記載の回転式清浄具用回転装置において、
前記ホルダはベアリングを介して前記ケースに支持され、
前記ベアリングの、前記開口側の端面にゴムシールが設けられていることを特徴とする回転式清浄具用回転装置。
【請求項３】
請求項１又は２記載の回転式清浄具用回転装置に取り付けられる耳かき棒であって、
前記ホルダに取り付けられる軸部と、
前記軸部の先端側にインサート成形により形成された耳かき部とよりなり、
前記耳かき部は柔軟な材料よりなり、先端が細いスクリュー形状を有するものとされ、
外耳道への過挿入を防止するフランジ状のストッパが前記軸部に形成されていることを特徴とする耳かき棒。
【請求項４】
請求項３記載の耳かき棒において、
前記耳かき部はゴムよりなることを特徴とする耳かき棒。
【請求項５】
請求項３又は４記載の耳かき棒において、
前記スクリュー形状を構成する突起は台形状の断面形状を有することを特徴とする耳かき棒。
【発明の詳細な説明】
【技術分野】
【０００１】
この発明は例えば耳かきや歯ブラシ等の身体の清浄具や隙間掃除具等の清浄具、掃除具（以下、これらをまとめて清浄具と言う）に関し、特に電動回転式の清浄具を回転させるための回転装置及びその回転装置に取り付けられる耳かき棒に関する。
【背景技術】
【０００２】
特許文献１には電動回転式清浄具の一例として自動耳かき器が記載されている。図７はこの特許文献１に記載されている自動耳かき器の構成を示したものである。図７において、１は電動機本体であり、電動機本体１は駆動部２と電源部となる電池３が収納されるケース４から形成されている。ケース４の先端側には収納した駆動部２の回転軸２ａを囲繞する開口筒部４ａが形成されている。駆動部２の回転軸２ａには駆動部２の回転力を伝達する接続弾性部５が取り付けられている。
【０００３】
６は耳かき部本体であり、耳かき部本体６の基端部は接続弾性部５に取り付けられている。耳かき部本体６は接続弾性部５を介して駆動部２の回転軸２ａと一体的に回転する。耳かき部本体６の先端部には耳かき軸部７が形成されている。耳かき軸部７にはブラシ部８が植設形成されている。ブラシ部８は耳かき軸部７の周側面部の先端側から基端側に向かって回転軸２ａの回転方向と逆方向に連続して螺旋状に植設されている。
【０００４】
この自動耳かき器によれば、ブラシ部８の回転により外耳道内の耳垢などを自動的にかき出すことができるものとなっている。
【先行技術文献】
【特許文献】
【０００５】
【特許文献１】登録実用新案第３１１１３８２号公報
【発明の概要】
【発明が解決しようとする課題】
【０００６】
ところで、上述した従来の自動耳かき器では防水構造を採用しておらず、よって例えば耳かき部本体６を接続弾性部５から取り外すことができれば、耳かき部本体６の汚れを洗い落すことはできるものの、電動機本体１が汚れた場合に洗うことはできない構造となっている。
【０００７】
一方、電動回転式の清浄具としては電動回転式の耳かきに限らず、例えば電動回転式の歯ブラシといったものもあり、一つの回転装置で耳かき棒や歯ブラシ棒を付け替えることができれば、極めて便利であり、回転装置を複数の用途に使用することができるものとなる。このような電動回転式歯ブラシへの応用を考えた場合、回転装置には防水構造が必要となる。
【０００８】
この発明の目的はこのような状況に鑑み、防水構造を備えた回転式清浄具用回転装置を提供することにあり、さらにその回転装置に取り付けられる性能及び安全性に優れた耳かき棒を提供することにある。
【課題を解決するための手段】
【０００９】
請求項１の発明によれば、回転式清浄具用回転装置はケースと、ケースに収容された電源部及び駆動部と、回転式清浄具が差し込まれて取り付けられるホルダとを備え、ホルダはケースの一端に形成された開口に位置して駆動部により回転駆動されるものとされ、ホルダとケースとの間にパッキンが設けられているものとされる。
【００１０】
請求項２の発明では請求項１の発明において、ホルダはベアリングを介してケースに支持され、ベアリングの前記開口側の端面にゴムシールが設けられているものとされる。
【００１１】
請求項３の発明によれば、請求項１又は２記載の回転式清浄具用回転装置に取り付けられる耳かき棒は、ホルダに取り付けられる軸部と、軸部の先端側にインサート成形により形成された耳かき部とよりなり、耳かき部は柔軟な材料よりなり、先端が細いスクリュー形状を有するものとされ、外耳道への過挿入を防止するフランジ状のストッパが軸部に形成されているものとされる。
【００１２】
請求項４の発明では請求項３の発明において、耳かき部はゴムよりなるものとされる。
【００１３】
請求項５の発明では請求項３又は４の発明において、前記スクリュー形状を構成する突起は台形状の断面形状を有するものとされる。
【発明の効果】
【００１４】
この発明による回転式清浄具用回転装置によれば、防水構造を備えているため、防水が必要な用途にも使用することができる。よって、例えば電動回転式耳かきや防水が必要な電動回転式歯ブラシといった各種用途に使用することができ、その点で利便性に優れた回転装置を提供することができる。
【００１５】
また、この発明による耳かき棒を用いれば、効率良く耳垢をかき出して耳垢掃除をすることができ、入れ過ぎにより鼓膜を傷つけるといったことも発生しない。よって、性能及び安全性に優れた耳かき棒を提供することができる。
【図面の簡単な説明】
【００１６】
【図１】Ａはこの発明による回転式清浄具用回転装置の一実施例にこの発明による耳かき棒の一実施例が取り付けられてなる電動回転式耳かきを示す平面図、Ｂはその断面図。
【図２】図１Ｂの部分拡大図。
【図３】Ａは図１における耳かき棒の平面図、Ｂはその正面図、Ｃはその側面図。
【図４】図１における回転式清浄具用回転装置に取り付けられる回転式清浄具の他の例を示す正面図。
【図５】図１に示した電動回転式耳かきに付加されるストッパを示す斜視図。
【図６】図１に示した電動回転式耳かきに図５に示したストッパが取り付けられた状態を示す底面図。
【図７】電動回転式清浄具の従来例を示す断面図。
【発明を実施するための形態】
【００１７】
この発明の実施形態を図面を参照して実施例により説明する。
【００１８】
図１はこの発明による回転式清浄具用回転装置の一実施例に、この発明による耳かき棒の一実施例が取り付けられてなる電動回転式耳かきの構成を示したものであり、図２はその断面構造の要部詳細を示したものである。
【００１９】
回転装置１０は把持しやすいように細長い棒状の外形形状を有するものとされ、外形を構成するケースはこの例では短尺の上ケース１１と、上ケース１１に続く長尺の下ケース１２とによって構成されている。これら上ケース１１と下ケース１２は樹脂製とされ、互いに嵌合されて接着固定されている。下ケース１２内には図１Ｂに示したように、電源部としての電池１３と、電源スイッチ１４と、駆動部としてのモータ１５と、ギアボックス１６が収容されている。
【００２０】
電源スイッチ１４が位置する部分の可動部には凸形状をなすゴム１７が下ケース１２と二色成形されて設けられており、このゴム１７に形成された押圧部１７ａを押すことによって電源スイッチ１４が押下操作され、電源スイッチ１４のＯＮ／ＯＦＦが順次切り換わるものとなっている。図１Ｂ中、１８，１９は電池１３の正極、負極とそれぞれ接する端子であり、端子１８は下ケース１２の後端を蓋する電池キャップ２１に取り付けられている。なお、図１Ｂでは配線等の詳細図示は省略している。
【００２１】
上ケース１１の一端（先端）に形成された開口１１ａにはホルダ２２が位置している。ホルダ２２は円筒部２２ａと、その円筒部２２ａの一端を蓋する底面部２２ｂと、底面部２２ｂの外側（外面）に突出形成された筒状をなす連結部２２ｃとよりなる。連結部２２ｃにはギアボックス１６から突出された回転軸１６ａが連結固定されている。円筒部２２ａの先端側は上ケース１１の開口１１ａより突出されている。
【００２２】
電源スイッチ１４をＯＮとすることにより、モータ１５が回転し、モータ１５の回転軸１５ａの回転はギアボックス１６を介してホルダ２２に伝達されてホルダ２２が回転駆動される。複数の歯車を備えるギアボックス１６はモータ１５の回転を減速するために設けられている。歯車はこの例でははすば歯車とされている。
【００２３】
上記のようにギアボックス１６の回転軸１６ａと連結されて回転駆動されるホルダ２２は、その円筒部２２ａがボールベアリング２３を介して上ケース１１に支持されている。また、開口１１ａ側において、ホルダ２２と上ケース１１との間にはパッキン２４が設けられている。パッキン２４は図２に拡大して示したような形状を有するものとされ、環状をなす肉厚部２４ａと、その肉厚部２４ａの内周に位置する環状の肉薄部２４ｂとよりなる。肉薄部２４ｂは図２に示したように断面くの字形状をなすものとされている。パッキン２４は、例えばゴム製とされる。
【００２４】
ホルダ２２の円筒部２２ａの外周面には突出部２２ｄがフランジ状に突出されて形成されており、パッキン２４はホルダ２２のこの突出部２２ｄと円筒部２２ａと上ケース１１とで囲まれた空間に配置されている。肉厚部２４ａの外周側は断面台形状をなすものとされて、上ケース１１の内周面に圧接され、一方、肉薄部２４ｂの内端側はホルダ２２の円筒部２２ａに圧接されている。また、環状をなす肉厚部２４ａの軸心方向両端面にはそれぞれ幅狭の（肉薄の）突条２４ｃ，２４ｄが環状に突出形成されており、これら突条２４ｃ，２４ｄがそれぞれ上ケース１１の先端側の内面及びホルダ２２の突出部２２ｄと圧接されている。
【００２５】
パッキン２４は上述したような形状を有するため、ホルダ２２の回転を阻害することはなく、ホルダ２２は良好に回転可能となっている。
【００２６】
回転装置１０は上記のようなパッキン２４を備えることにより、上ケース１１の先端の開口１１ａ部分の防水が実現されており、また下ケース１２の後端の電池キャップ２１が取り付けられている部分には図１Ｂに示したように下ケース１２と電池キャップ２１との嵌合部分にＯリング２５が配置されているため、電池キャップ２１取り付け部分の防水も実現されており、これにより回転装置１０は防水構造を備えたものとなっている。
【００２７】
なお、この例では図２に示したように接触型のゴムシール２６がボールベアリング２３の先端側（上ケース１１の開口１１ａ側）の端面に設けられており、このゴムシール２６により上ケース１１の先端側はさらに防水されるものとなっている。
【００２８】
次に、回転装置１０のホルダ２２に取り付けられている耳かき棒３０の構成について説明する。
【００２９】
図３は耳かき棒３０の構成を示したものであり、耳かき棒３０は軸部３１と耳かき部４１とよりなる。軸部３１は大径の基部３２と、小径の先端部３３（図１Ｂ参照）と、基部３２から先端部３３に至る先細形状とされた中間部３４とよりなる。基部３２と中間部３４の境界にはフランジ状をなすストッパ３５が形成されており、さらにこのストッパ３５と同一形状をなすストッパ３６がストッパ３５と離間して基部３２に形成されている。
【００３０】
基部３２におけるストッパ３６より基端側の部分の外周面は、円筒面の一部が削られて平面部３２ａが形成されたＤカット形状をなすものとされている。また、この平面部３２ａが形成されている部分において、片持ち梁状をなす係止片３７がストッパ３６側を支持端とし、ストッパ３６に続いて基部３２に削り込まれた形状で形成されている。係止片３７の遊端の外側面には係止突起３７ａが突出形成されている。
【００３１】
上記のような形状を有する軸部３１はポリプロピレン等の硬質樹脂製とされる。一方、耳かき部４１は柔軟なエラストマ製とされ、具体的には例えばシリコーンゴム等のゴム製とされる。ゴムの硬度は４０°〜７０°程度とされる。
【００３２】
耳かき部４１は軸部３１の先端部３３から中間部３４にかけて、アンダーカット付きのインサート成形により形成されて一体化されている。軸部３１の中間部３４には図１Ｂに示したように樹脂流れ食らいつき用の貫通穴（アンダーカット部）３８が２つ形成されている。
【００３３】
耳かき部４１の、軸部３１の先端部３３の回りに位置する部分には先端が細いスクリュー形状をなすスクリュー部４２が形成されている。スクリュー部４２はこの例では後端に向かって徐々に太くされており、スクリュー形状を構成する突起４２ａは図１Ｂに示したように厚み（幅）のある台形状の断面形状を有するものとされている。
【００３４】
上記のような構成を有する耳かき棒３０は軸部３１が回転装置１０のホルダ２２に差し込まれてホルダ２２に取り付けられる。軸部３１が差し込まれるホルダ２２の円筒部２２ａの内周面は軸部３１のＤカット形状に合致する形状とされており、また周の一部には図１に示したように係止窓２２ｄが形成されている。耳かき棒３０はこのような円筒部２２ａに差し込まれることにより、回転が規制されてホルダ２２と一体に回転するものとなり、また係止片３７の係止突起３７ａが図１に示したように係止窓２２ｄに係止されて抜け止めされる。なお、耳かき棒３０のストッパ３６はホルダ２２に突き当たった状態となる。
【００３５】
耳かき棒３０をホルダ２２から取り外す際は、係止窓２２ｄに位置する係止突起３７ａを押し込んで係止を解除すればよく、これにより耳かき棒３０を容易に引き抜くことができる。なお、耳かき棒３０を抜き差しする際は、２つのストッパ３５，３６間を指でつかめばよく、２つのストッパ３５，３６は指掛かりとして機能する。
【００３６】
以上説明した回転装置１０と耳かき棒３０とよりなる電動回転式耳かきによれば、以下に列記したような利点、効果を有する。
【００３７】
＜耳かき棒３０＞
１）耳かき部４１は柔軟な材料よりなるため、外耳道を傷つけることはない。また、例えば従来のブラシタイプのものでは抜けや折れが発生するという問題があり、硬質のものでは滑りによりかき出し効率が悪いといった問題があったが、そのような問題を解消することができる。
【００３８】
２）スクリュー部４２は先細形状となっているため、耳垢を押し込んでしまうことはなく、耳垢が確実に引っ掛かる。また、スクリュー部４２を構成する突起４２ａに厚みがあることにより、耳垢の引っ掛かりが良く、効率良く耳垢を取ることができる。
３）回転を低速とすることにより、耳垢の飛び散りもなく、スクリュー形状により耳垢を送り出し、良好にかき出すことができ、取り残しなく、耳垢掃除を行うことができる。
【００３９】
４）外耳道への過挿入を防止するストッパ３５を有するため、入れ過ぎにより鼓膜を傷つけるといったことは発生しない。なお、耳かき棒３０の先端からストッパ３５までの距離Ｌ１及びストッパ３５の直径Ｄは、外耳道の鼓膜までの奥行の標準３０ｍｍ及び外耳道径の標準４．５ｍｍ×６．６ｍｍ楕円を考慮して、例えば
Ｌ１＝２９ｍｍ，    Ｄ＝８．５ｍｍ
に設定される。
【００４０】
＜回転装置１０＞
１）前述したように防水構造を備えているため、例えば洗うこともでき、また防水が必要な用途にも使用することができる。
２）ギアボックス１６内の歯車は、回転振動音を軽減すべく、はすば歯車とされているため、静音性に優れ、パッキン２４の密封効果によりさらに消音効果が得られるものとなっている。
【００４１】
なお、上述した例では耳かき棒３０のスクリュー部４２は先端が細く、後端が太い形状となっているが、例えば中ほどが太い形状（たいこ形状）としてもよい。
【００４２】
また、回転装置１０は上ケース１１の先端側に防水のためにパッキン２４とゴムシール２６を備えているが、上述した電動回転式耳かきとして使用する場合などのように簡易防水でよければ、例えばパッキン２４だけとしてもよい。
【００４３】
図４は耳かき棒３０に替えて回転装置１０に取り付けることができる歯ブラシ棒を示したものである。
【００４４】
歯ブラシ棒５０は耳かき棒３０の軸部３１と同様の形状を有する軸部５１と、軸部５１の先端に全周植設形成された歯ブラシ部５２とよりなる。なお、図４では植設形成されている歯ブラシ部５２の植毛の図示は省略し、簡略化して示している。
【００４５】
この歯ブラシ棒５０を回転装置１０に取り付ければ、電動回転式歯ブラシを構成することができる。
【００４６】
図５は図１に示した電動回転式耳かきに装着することができる別部品としてストッパ６０を示したものである。耳かき棒３０には前述したように外耳道への過挿入を防止するためのストッパ３５が設けられているが、ストッパ３５の位置は外耳道の鼓膜までの標準的な奥行をもとに設定されている。従って、例えば外耳道が短い人や子供が電動回転式耳かきを使用する場合は安全性に欠けることになる。
【００４７】
図５に示したストッパ６０はこのように外耳道が短い人や子供が使用する場合であっても、安全性を確保することができるようにするものである。ストッパ６０は図５に示したように略円錐台形状をなす筒状とされ、その基端側には切り欠き６１が形成されている。
【００４８】
図６は図１に示した電動回転式耳かきにストッパ６０が取り付けられた状態を示したものであり、回転装置１０の上ケース１１に形成されている突出段部１１ｂに切り欠き６１を合致させて嵌め込むことによってストッパ６０は取り付けられる。耳かき棒３０の先端からストッパ６０までの距離Ｌ２は、例えば、
Ｌ２＝２０ｍｍ
とされる。ストッパ６０の先端の外径は外耳道径より大きい。
【００４９】
以上、回転式清浄具として耳かき棒３０や歯ブラシ棒５０が回転装置１０に取り付けられる例について説明したが、回転装置１０のホルダ２２に取り付けられる回転式清浄具はこれらに限るものではない。回転式清浄具としては例えば歯の美白を行うためのもの、繊維の部分シミ取りを行うためのもの、あるいはキーボード等の隙間掃除を行うためのものといったものもあり、これらを取り付ければ歯の美白器、部分シミ取り器、隙間掃除器といった各種器具を構成することができる。
【符号の説明】
【００５０】
１０  回転装置                              １１  上ケース
１２  下ケース                              １３  電池
１４  電源スイッチ                          １５  モータ
１６  ギアボックス                          ２１  電池キャップ
２２  ホルダ                                ２３  ボールベアリング
２４  パッキン                              ２５  Ｏリング
２６  ゴムシール                            ３０  耳かき棒
３１  軸部                                  ３５，３６  ストッパ
３７  係止片                                ４１  耳かき部
４２  スクリュー部                          ５０  歯ブラシ棒
５１  軸部                                  ５２  歯ブラシ部
６０  ストッパ
【図１】
2014161345.tif 000003
【図２】
2014161345.tif 000004
【図３】
2014161345.tif 000005
【図４】
2014161345.tif 000006
【図５】
2014161345.tif 000007
【図６】
2014161345.tif 000008
【図７】
2014161345.tif 000009